(57)【要約】【課題】入力画像の光沢部を判定し、光沢部に対して光沢差を形成する。【解決手段】入力画像から高白色レベル点（画素）を探索する（ステップ２０２）。注目画素の階調値（白色レベル）が２２５以上であるか否かを判定し（ステップ２０３）、白色レベルが２２５以上と判定された画素の分布面積を算出し、入力画像に占める割合が例えば３０％以下であるか否かを判定する（ステップ２０４）。分布面積が３０％以下である場合には、白色部周囲との階調差（レベル差）が１００以上であるか否かを判定する（ステップ２０５）。白色部周囲との階調差（レベル差）が１００以上である場合には、光沢部と判定する（ステップ２０６）。【選択図】図４
2014151595.tif 000002
【特許請求の範囲】
【請求項１】
所定画像の光沢部を判定する判定手段と、前記判定された光沢部に対して光沢差を形成する形成手段を備えることを特徴とする画像処理装置。
【請求項２】
前記判定手段は、前記所定画像における階調値に基づいて光沢部であるか非光沢部であるかを判定することを特徴とする請求項１記載の画像処理装置。
【請求項３】
前記判定手段は、前記所定画像における所定階調値が占める面積に基づいて光沢部であるか非光沢部であるかを判定することを特徴とする請求項１記載の画像処理装置。
【請求項４】
前記判定手段は、前記所定画像における階調値差に基づいて光沢部であるか非光沢部であるかを判定することを特徴とする請求項１記載の画像処理装置。
【請求項５】
前記判定手段は、前記所定画像の各画素の階調値が所定値以上であり、前記階調値が所定値以上の画素（以下、白色部）の面積が前記所定画像に占める割合が所定値以下であり、前記白色部の階調値と、周囲の階調値との差が所定値以上である前記白色部を、前記光沢部として判定することを特徴とする請求項２、３または４記載の画像処理装置。
【請求項６】
前記形成手段は、光沢記録媒体に光沢インクを付与して高光沢画像を形成し、光沢を低減する光沢低減インクを前記高光沢画像上に付与することにより光沢差を形成し、前記光沢部に応じて前記光沢低減インクの使用量を制御することを特徴とする請求項１記載の画像処理装置。
【請求項７】
前記形成手段は、前記光沢部の白色レベルに応じて前記光沢低減インクの使用量を制御することを特徴とする請求項１または６記載の画像処理装置。
【請求項８】
前記形成手段は、前記光沢部の白色レベルが第１の所定値以上のとき、光沢部と非光沢部における光沢低減インクの使用量の差が大きくなるよう制御し、前記白色レベルが第２の所定値（＜第１の所定値）以下のとき、光沢部と非光沢部における光沢低減インクの使用量の差が小さくなるように制御することを特徴とする請求項７記載の画像処理装置。
【請求項９】
前記形成手段は、前記所定画像に前記光沢部が存在しない場合、前記所定画像における白色部分に対して、所定量の光沢低減インクを使用することを特徴とする請求項６記載の画像処理装置。
【請求項１０】
前記形成手段は、前記所定画像をハーフトーン処理する際に、前記光沢低減インクの使用量に応じて、光沢インクと光沢低減インクの置き換えを行うことを特徴とする請求項６記載の画像処理装置。
【請求項１１】
前記ハーフトーン処理がディザ処理の場合、上位階調のドットパターンを光沢インクのドットで形成するとき、下位階調のドットパターンに対応した光沢インクのドットを、光沢低減インクのドットに置き換えることを特徴とする請求項１０記載の画像処理装置。
【請求項１２】
前記ハーフトーン処理が誤差拡散処理の場合、誤差拡散処理によって形成された光沢インクの各ドット間の距離が所定の距離にあるドットを、光沢低減インクのドットに置き換えることを特徴とする請求項１０記載の画像処理装置。
【請求項１３】
光沢インクと高光沢記録媒体と光沢低減インクにより光沢差画像を形成する記録モードと、光沢インクと高光沢記録媒体により全面高光沢画像を形成する記録モードと、半光沢記録媒体と光沢低減インクにより全面半光沢または全面無光沢画像を形成する記録モードを備え、前記何れかの記録モードを指定する指定手段を備えたことを特徴とする請求項１記載の画像処理装置。
【請求項１４】
前記所定画像は、写真画像であることを特徴とする請求項１乃至５、９、１０のいずれか１項に記載の画像処理装置。
【請求項１５】
所定画像の光沢部を判定する判定工程と、前記判定された光沢部に対して光沢差を形成する形成工程を備えることを特徴とする画像処理方法。
【請求項１６】
所定画像の光沢部を判定する判定手段と、光沢記録媒体に光沢インクを付与して高光沢画像を形成し、光沢を低減する光沢低減インクを前記高光沢画像上に付与することにより光沢差を形成する形成手段を備え、前記形成手段は、前記判定された光沢部に応じて前記光沢低減インクの使用量を制御することを特徴とする画像形成装置。
【請求項１７】
請求項１５記載の画像処理方法をコンピュータに実現させるためのプログラム。
【発明の詳細な説明】
【技術分野】
【０００１】
本発明は、光沢部を判定する画像処理装置、画像処理方法、画像形成装置およびプログラムに関する。
【背景技術】
【０００２】
印刷画像の忠実性は、色味や階調性だけではなく、光沢感（光沢差）の再現も必要である。例えば、立体感を出すためには、陰影の再現だけでなく、光沢の分布によっても立体をイメージできることから、２次元画像上で絵柄に合わせて光沢の分布や光沢差を調整できれば、よりリアルな質感を実現できる。
【０００３】
例えば、特許文献１では、染料インクと顔料インクを併用することにより光沢を制御し、また、特許文献２では、反応液によりインクを凝集させて光沢を制御している。さらに、特許文献３では、ブラック顔料、シアン、マゼンタ、イエロー染料を組合せて、ブラック顔料のインク量により光沢を制御している。
【発明の概要】
【発明が解決しようとする課題】
【０００４】
上記した技術では、何れも光沢を制御して光沢感を一定に揃えるという効果が得られるが、光沢差を任意に再現できない。また、入力画像の光沢部を判定していないため、光沢部に対して光沢差を付与して、よりリアルで立体感を持った品質の印刷画像を再現できない。
【０００５】
本発明は上記した課題に鑑みてなされたもので、
本発明の目的は、入力画像の光沢部を判定し、光沢部に対して光沢差を形成する画像処理装置、画像処理方法、画像形成装置およびプログラムを提供することにある。
【課題を解決するための手段】
【０００６】
本発明は、所定画像の光沢部を判定する判定手段と、前記判定された光沢部に対して光沢差を形成する形成手段を備えることを最も主要な特徴とする。
【発明の効果】
【０００７】
本発明によれば、入力画像の光沢部を判定することができ、判定された光沢部に対して光沢差を再現することができる。
【図面の簡単な説明】
【０００８】
【図１】光沢を制御する例を示す。
【図２】画像上の光沢例を示す。
【図３】本発明の実施例の画像処理装置の構成を示す。
【図４】本発明の光沢判定部の処理フローチャートを示す。
【図５】染料インク、光沢低減インク使用量の関係を示す。
【図６】光沢部の白色レベルに応じた光沢低減インクの使用例を示す。
【図７】ディザ処理、誤差拡散処理による光沢低減インクドットの入れ替え例を示す。
【図８】ユーザーインターフェース画面での光沢部の指定方法の例を示す。
【図９】光沢を制御して光沢差画像を形成する本発明の制御方法のフローチャートを示す。
【図１０】本発明の光沢を制御する別のフローチャートを示す。
【図１１】一般的なインクジェット記録装置（画像形成装置）の構成を示す。
【発明を実施するための形態】
【０００９】
以下、発明の実施の形態について図面により詳細に説明する。
【実施例１】
【００１０】
図１は、光沢を制御する例を示す。図１（ａ）は、光沢紙（光沢記録媒体）１に染料インク（光沢インク）３を付与して光沢を制御し、（ｂ）は光沢紙１に顔料インク（光沢低減インク）４を付与して光沢を制御し、（ｃ）は光沢紙１に顔料インク４を付与し、さらに光沢補助液５を重ねて吐出して光沢を制御する例を示す。（ｄ）は、光沢紙１に染料インク３を付与した状態に対して、顔料インク（光沢低減インク）４を重ね打ちすることで、光沢紙１の表面に顔料インクによる非光沢部を形成して光沢差を制御する。
【００１１】
ところで、光沢があるものと、光沢がないものとの相違は簡単に言えば、物体の表面で光を反射するか、光を吸収（あるいは散乱）するかという点にあり、光沢を持った物体には、光源からの反射像や周囲に置かれた物体の反射像が表面に映っている。逆に、光沢がない物体には、どのような角度で光が当たろうとも、明確な反射像がその表面に映し出されることはない。
【００１２】
本発明では、物体表面に映し出された反射像を基に、光沢を持った物体であるか光沢のない物体であるかを判断し、「染料インク＋光沢紙」に対して顔料インク（あるいは光沢性を低減させる何らかの液体でも良い。以降、光沢低減インクと総称する）を併用するか否かを決定する。本発明では、図１（ｄ）の光沢制御を用いて、光沢差（光沢感）を再現する。
【００１３】
図２（ａ）は、瞳に映った光（いわゆるキャッチライト）を示す。このキャッチライトは、眼球表面にうっすらと張った涙の膜に、照明のような光源からの光が照り返したものである。また、図２（ｂ）に示すように、光沢がある物体でも同様の現象が発生する。図２（ｃ）は、画像上に光沢がない例を示す。
【００１４】
以下、本発明では、被写体に写り込んだ光源の像を、光沢部と定義する。図３は、本発明の実施例の画像処理装置の構成を示す。図１において、１０１は画像入力部、１０２は光沢判定部、１０３は白色レベル判定部、１０４は光沢低減インク量設定部、１０５は色変換処理部、１０６はγ補正部、１０７はハーフトーン処理部、１０８は画像出力部である。
【００１５】
図４は、本発明の光沢判定部の処理フローチャートを示す。ステップ２０１において、入力画像を取得する。ここで入力画像は８ビット階調（０〜２５５）の画像データであり、０が黒、２５５が白であるとする。
【００１６】
ステップ２０２において、入力画像から高白色レベル点（画素）を探索する。ステップ２０３において、注目画素（各画素）の階調値（白色レベル）が所定値（２２５）以上であるか否かを判定する。ここでは注目画素のＲＧＢ成分の全てが（Ｒ、Ｇ、Ｂ）＝（２５５、２５５、２５５）〜（２２５、２２５、２２５）の範囲にあるか否かを判定する。白色レベルが所定値以上と判定された画素（以下、白色部）に、例えばビット１をセットする。
【００１７】
ステップ２０４において、白色部の分布面積を算出し、入力画像に占める割合が例えば３０％以下であるか否かを判定する。光沢画像は、単なる光源反射でしかないので、画像構成上、支配的になる程の面積を占めることは殆どない。
【００１８】
分布面積が３０％以下である場合には、ステップ２０５において、白色部周囲との階調差（レベル差）が１００以上であるか否かを判定する。階調値２５５を完全な白とした場合、（Ｒ、Ｇ、Ｂ）値の差を判定する。すなわち、Ｒ、Ｇ、Ｂの何れかで１００程度の差があるか否かを（白に近い物体は光沢差が見分け難い）判定する。
【００１９】
白色部周囲（周囲の画素値）との階調差（レベル差）が１００以上である場合には、光沢部と判定し（ステップ２０６）、ステップ２０３、２０４、２０５でＮｏの場合には、非光沢部と判定する（ステップ２０７）。
【００２０】
画像上に光沢部が存在しない場合（図２（ｃ））は、光沢のある物体は存在しない、あるいは光沢のある物体があっても、人間には光沢があるようには見えないものとして、光沢低減インクをハイライトからシャドー部まで積極的に使用し、光沢性の低い画像として再現する。
【００２１】
これに対して、光沢部が存在する場合は、光沢のある物体が画像上に存在するため、ハイライトからシャドー部にかけて徐々に染料インクが光沢低減インクに置き換わるように使用することで、あたかも光沢を持った物体の形状に合わせて光沢が変化するように見せることが可能となる（図５（ｃ））。図５（ａ）は、全面高光沢画像と染料インク使用量の関係を示し、図５（ｂ）は、全面マット（無光沢）画像（＋半光沢紙）と光沢低減インク使用量の関係を示し、図５（ｃ）は、光沢差表現画像と染料インク、光沢低減インク使用量の関係を示す。
【００２２】
なお、光沢部も光沢物体の表面状態によって強弱があり、鏡面性が高い程より強烈な反射となって画像上に現れてくる。具体的には、全反射に近い白として画像上に現れる。光沢物体であっても、多少表面の鏡面性が低いと、光沢部の白も淡くなり、元々の物体の表面色が透けて見えてくる。
【００２３】
本発明ではこの点を考慮し、光沢部の白色レベルの段階に応じて、光沢低減インクの使用量を変化させている。光沢部の白色レベルが高い場合、光を反射している物体は相当量の光沢があると考え、光沢部から非光沢部への変化が大きくなるように光沢低減インクを使用する。光沢部の白色レベルが低いと、光を反射している物体の光沢はあまりないと考え、光沢部から非光沢部への変化が小さくなるように光沢低減インクを使用する。
【００２４】
図６（ａ）は、白色レベルが大（第１の所定値以上）のときの光沢低減インクの使用例を示し、（ｃ）は白色レベルが小（第２の所定値（＜第１の所定値）以下）のときの光沢低減インクの使用例を示す。（ｂ）は標準設定の例を示す。（ａ）では、光沢部と非光沢部における光沢低減インクの使用量の差が大きくなるよう制御し、（ｃ）では、光沢部と非光沢部における光沢低減インクの使用量の差が小さくなるように制御する。
【００２５】
更に、光沢部の白色レベルが低い、あるいは、光沢部が画像上に存在しない場合、「染料インク＋光沢紙」で再現される紙白部分（インクが吐出されない部分）の光沢が高すぎて、画像との違和感が生じてしまう場合がある。このような場合、完全な白として入力された画像部に対しても微量に光沢低減インクを吐出することで、紙白部分の光沢を抑えて違和感を低減することが可能である（図６（ｄ））。
【００２６】
また、上記した光沢部は、画像中に一つだけではなく、複数存在する場合もある。そして、各光沢部の白色レベルも異なる場合があるので、各光沢部を含む画像領域（光沢部を取り囲む同系色の領域）毎に、光沢低減インクの使用量を調整するのがよい。
【００２７】
次に、染料インクと光沢低減インクの入れ替え方について説明する。前述した特許文献では開示されていないが、染料インクドットと光沢低減インクドットは、可能な限り分散して配置される方がよい。染料インクドット同士、光沢低減インクドット同士が固まって存在すると、元の画像にない光沢ムラやテクスチャーとして認識されてしまう可能性がある。画像の階調レベルが上がり、ドットを多く形成すると、同種のドットが隣接するが、そのような場合でも可能な限り固まり同士が分散して配置するのがよい。
【００２８】
そこで、本発明では、ハーフトーン処理にＦＭディザ（Ｂａｙｅｒ型、ランダム型、ＢｌｕｅＮｏｉｓｅ型、ＧｒｅｅｎＮｏｉｓｅ型等）を使用している場合、ディザマトリクスの閾値の順番を利用して、染料インクから光沢低減インクへの置き換えを行う。
【００２９】
ディザ処理の場合、下位の階調におけるドット配置は、必ず上位の階調のドット配置に内包されているので、光沢低減インクの使用量に応じた下位の階調パターンでドットを入れ替えていけば、染料インクドット／光沢低減インクドットの双方が、最大限分散されて配置されることになる。
【００３０】
図７は、ディザ処理による光沢低減インクドットの入れ替え例を示す。（ａ）はディザ閾値、（ｂ）は下位階調のドットパターン、（ｃ）は上位階調のドットパターンを示す。上位階調のドットパターンを染料インクのドットで形成するとき（ｃ）、下位階調のドットパターン（ｂ）に対応した染料インクのドットを、光沢低減インクのドットに置き換える。
【００３１】
また、ハーフトーン処理に誤差拡散処理を使用している場合は、誤差拡散処理の仕組み上、固定されたパターンは発生しないため、一度誤差拡散処理によってドットパターンが確定した後、光沢低減インクの使用量から算出される理想のドット間距離（お互いにドット同士が最も離れた時の距離）に基づいて入れ替えを行っても良い。
【００３２】
図７（ｄ）は、誤差拡散処理による光沢低減インクドットの入れ替え例を示す。図７（ｄ）では、誤差拡散処理によって１１個の染料インクのドットが形成されている。誤差拡散処理によって形成された各ドット間の距離を算出し、理想の光沢低減インクのドット間距離Ｌに近い位置関係となるドットを順次、光沢低減インクのドットに置き換えていく（当該階調における単位面積ｓ当たりの光沢低減インクのドット数に至るまで）。図７（ｄ）では、染料インクのドット１０から距離Ｌだけ離れた位置の染料インクのドット１１を、光沢低減インクのドットに置き換える。染料インクのドット１２は、染料インクのドット１０に近すぎるので、光沢低減インクのドットに置き換えない。
【００３３】
図７の方法の他に、ディザ法と同様に固定されたパターンにより選択してもよいし、ＢｌｕｅＮｏｉｓｅの周波数特性に基づいて高周波特性となるドット位置で選択しても良い（つまり、光沢低減インクドットが最大限に分散されて配置されれば良い）。
【００３４】
更に、光沢差の表現だけでなく、前提となる「染料インク＋光沢紙」だけで実現できる全面高光沢画像や、「光沢紙＋光沢低減インク」の組合せ（前記したように紙白の補正を含む）による全面半光沢画像（あるいは全面無光沢画像）の再現も可能となることから、光沢差を形成するモードだけでなく、どの画像出力モードにするかユーザーが選択できるようにしても良い。
【００３５】
上記したように、入力画像から自動的に光沢部を判定したが、これをユーザーインターフェース上で直接、光沢部を指定させる方法を採るようにしてもよい。図８は、ユーザーインターフェース画面での光沢部の指定方法の一例を示す。例えば、マウスを使ってカーソルで範囲を指定する、スタイラスペンを使って範囲をなぞって指定する、タッチパネルによって指で範囲をなぞって指定する。
【００３６】
図９は、光沢を制御して光沢差画像を形成する、本発明の制御方法のフローチャートを示す。画像入力部１０１により写真画像を入力する（ステップ３０１）。次いで、ユーザーは画像入力部１０１を用いて、光沢処理の記録モードを選択する（ステップ３０２）。全面高光沢の記録モードを選択するとフラグｆｇに１がセットされ、光沢差再現の記録モードを選択するとフラグｆｇに２がセットされ、全面無光沢（または全面半光沢）の記録モードを選択するとフラグｆｇに３がセットされる。
【００３７】
フラグｆｇが２であると（ステップ３０３）、光沢判定部１０２は入力画像の光沢部を判定する（ステップ３０４）。光沢部がある場合には（ステップ３０５でＹｅｓ）、白色レベル判定部１０３は、光沢部の白色レベル（階調値）を判定する（ステップ３０６）。白色レベルが低光沢（≦２４０）であるか否かを判定し（ステップ３０７）、白色レベルが低光沢でない場合は（ステップ３０７でＮｏ）、白色レベルが中光沢（≦２５０）であるか否かを判定し（ステップ３０８）、白色レベルが中光沢でない場合は（ステップ３０８でＮｏ）、光沢低減インク量設定部１０４は、高光沢用の光沢低減インク量（図６（ａ））をセットする（ステップ３０９）。
【００３８】
白色レベルが中光沢である場合は（ステップ３０８でＹｅｓ）、光沢低減インク量設定部１０４は、中光沢用の光沢低減インク量（図６（ｂ））をセットする（ステップ３１０）。白色レベルが低光沢である場合は（ステップ３０７でＹｅｓ）、光沢低減インク量設定部１０４は、低光沢用の光沢低減インク量（図６（ｃ））をセットする（ステップ３１１）。
【００３９】
また、光沢部がない場合には（ステップ３０５でＮｏ）、光沢低減インク量設定部１０４は、低光沢用の光沢低減インク量（図６（ｃ））をセットする（ステップ３１１）。フラグｆｇが３であると（ステップ３１２でＹｅｓ）、光沢低減インク量設定部１０４は、光沢低減インクのみをセットし（ステップ３１３）、フラグｆｇが２でも３でもない場合は（ステップ３１２でｎｏ）、光沢低減インク量設定部１０４は、光沢低減インクを使用しない（ステップ３１４）。
【００４０】
色変換処理部１０５は、ＲＧＢ信号をＣＭＹ信号に変換し（ステップ３１５）、Ｋ信号の生成と下色除去を行い（ステップ３１６）、γ補正部１０６は出力画像のγ特性を補正し（ステップ３１７）、ハーフトーン処理部１０７は、２５６階調の画像を２値または少値の画像に階調を変換する（ステップ３１８）。また、階調を変換する際に、高光沢用、中光沢用、低光沢用などに応じて染料インクドットを光沢低減インクドットに入れ替える（ステップ３１９）。画像出力部１０８は、本発明により光沢差が再現された写真画像を印刷出力する（ステップ３２０）。
【００４１】
図１０は、本発明の光沢を制御する別のフローチャートを示す。このフローチャートでは、色変換を行う際に、インクドットの入れ替えを行う点が図９と異なる（ステップ３０９ａ〜３１１ａ）。すなわち、ＲＧＢをＣＭＹＫに変換するときに、例えばＫ信号を、白色レベルに応じて染料インク量と光沢低減インク量に割り当てる。
【００４２】
以上説明したように、本発明の画像処理方法は、入力画像の光沢部を判定し、光沢部の白色レベルに応じた光沢低減インクを使用することにより、光沢差（光沢感）を再現している。本発明の画像処理方法は、プリンタドライバのようなソフトウエア処理だけでなく、ＡＳＩＣなどのコントローラーに実装してインクジェット記録装置などの画像形成装置に適用することも可能である。
【００４３】
図１１は、本発明が適用される、一般的なインクジェット記録装置（画像形成装置）の構成を示す。制御部５００は、本発明の図４、図９の処理方法を実行するＣＰＵ５０１と、ＣＰＵ５０１が実行するプログラム、その他の固定データを格納するＲＯＭ５０２と、画像データ等を一時格納するＲＡＭ５０３と、装置の電源が遮断されている間もデータを保持するための書き換え可能な不揮発性メモリ５０４と、画像データに対する各種信号処理、並び替え等を行う画像処理やその他装置全体を制御するための入出力信号を処理するＡＳＩＣ５０５とを備えている。
【００４４】
また、記録ヘッドユニット５０を構成する各ヘッドモジュールを駆動制御するためのデータ転送手段、駆動信号発生手段を含むヘッド駆動制御部５０８と、記録ヘッドを駆動するためのヘッドドライバ（ドライバＩＣ）５０９と、画像形成ユニットを移動させる画像形成ユニット移動モータ５１０を駆動するための画像形成ユニット移動モータ駆動部５１１（シリアルプリンタの場合に必要）と、用紙搬送ベルト移動モータ５１２を駆動するための搬送ベルト移動モータ駆動部５１３と、吸引ファン４４に対する吸引モータ５１４を駆動する吸引モータ駆動部５１５と、検知部材７１の電極間の電気的特性の変化を検出する液滴吐出状態検出部５１６と、各種センサからの情報を入力するＩ／Ｏ５１７を有している。
【００４５】
Ｉ／Ｏ５１７にはセンサ情報として、図示しない環境温度や環境湿度を検出する環境センサ、画像形成ユニットに備えた用紙を検知する用紙センサなどの各種センサからの検知信号が入力される。また、制御部５００には、この装置に必要な情報の入力及び表示を行うための操作パネル５１８が接続されている。制御部５００は、パーソナルコンピュータ（ＰＣ）等の情報処理装置、イメージスキャナなどの画像読み取り装置、デジタルカメラなどの撮像装置などのホスト側からの画像データを含む印刷データ等をケーブルやネットを介してホストＩ／Ｆ５０６で受信する。ＣＰＵ５０１は、ホストＩ／Ｆ５０６に含まれる受信バッファ内の印刷データを読み出して解析し、ＡＳＩＣ５０５にてデータの並び替え処理等を行ってヘッド駆動制御部５０８に画像データを転送する。
なお、画像出力するための印刷データのビットマップデータ（印刷ラスタデータ）への変換は、ホスト側のプリンタドライバで画像データをビットマップデータに展開し、印刷データのビットマップデータ（印刷ラスタデータ）を作成した上で、印刷ラスタデータをこの装置に転送する。
【００４６】
ヘッド駆動制御部５０８は、印刷ラスタデータを受け取ると、ドットパターンデータ（印刷ラスタデータ）を、クロック信号に同期して、ヘッドドライバ５０９にシリアルデータで送出し、また所定のタイミングでラッチ信号をヘッドドライバ５０９に送出する。
ヘッド駆動制御部５０８は、駆動波形（駆動信号）のパターンデータを格納したＲＯＭと、ＲＯＭから読出される駆動波形のデータをＤ／Ａ変換するＤ／Ａ変換器を含む波形生成回路、アンプ等で構成される駆動波形発生回路を含む。
【００４７】
また、ヘッドドライバ５０９は、ヘッド駆動制御部５０８からのクロック信号及び画像データであるシリアルデータを入力するシフトレジスタと、シフトレジスタのレジスト値をヘッド駆動制御部５０８からのラッチ信号でラッチするラッチ回路と、ラッチ回路の出力値をレベル変化するレベル変換回路（レベルシフタ）と、レベルシフタでオン／オフが制御されるアナログスイッチアレイ（スイッチ手段）等を含み、アナログスイッチアレイのオン／オフを制御することで駆動波形に含まれる所要の駆動波形を選択的にヘッドユニットのアクチュエータ手段に印加してヘッドを駆動し、画像データを印刷してドットパターンを形成する。
【符号の説明】
【００４８】
１０１  画像入力部
１０２  光沢判定部
１０３  白色レベル判定部
１０４  光沢低減インク量設定部
１０５  色変換処理部
１０６  γ補正部
１０７  ハーフトーン処理部
１０８  画像出力部
【先行技術文献】
【特許文献】
【００４９】
【特許文献１】特許４１７８００２号公報
【特許文献２】特開２００７−３０１８５８号公報
【特許文献３】特許４４８４５０５号公報
【図１】
2014151595.tif 000003
【図３】
2014151595.tif 000004
【図４】
2014151595.tif 000005
【図５】
2014151595.tif 000006
【図６】
2014151595.tif 000007
【図７】
2014151595.tif 000008
【図９】
2014151595.tif 000009
【図１０】
2014151595.tif 000010
【図１１】
2014151595.tif 000011
【図２】
2014151595.tif 000012
【図８】
2014151595.tif 000013